(57)【要約】【課題】浴室を乾燥させる浴室乾燥装置において、使用者が要求する場合に少ない電力消費で浴室を乾燥させることができる浴室乾燥装置を提供することを目的としている。【解決手段】浴室乾燥装置１ａは浴室内の空気を循環させる循環手段としての循環ファン２と、前記循環手段によって吸込んだ浴室内空気に熱を供給する熱供給手段としてのＰＴＣヒーター３ａ、３ｂと、浴室内の空気およびダクト４を介して浴室以外の部屋、例えば浴室扉に隣接する脱衣室内の空気を吸込み換気する換気手段としての換気ファン５と、前記換気手段により吸込んだ脱衣室内空気の湿度を検出する湿度検出手段としての湿度センサー６とを備え、湿度センサー６の検出値により熱供給手段の熱量を可変することにより、使用者が要求する場合に少ない電力消費で浴室を乾燥させることができる浴室乾燥装置が得られる。【選択図】図１
2009041833.tif 000002
【特許請求の範囲】
【請求項１】
浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ａとを備え、前記湿度検出手段Ａによって検出した値により前記循環手段によって吸込まれた浴室内空気に前記熱供給手段が供給する熱量を制御することを特徴とする浴室乾燥装置。
【請求項２】
前記湿度検出手段Ａにより検出した値が所定値未満である場合は、前記熱供給手段により供給する熱量を小さくするように制御することを特徴とする請求項１記載の浴室乾燥装置。
【請求項３】
前記湿度検出手段Ａにより検出した値が所定値以上である場合は、前記熱供給手段により供給する熱量を大きくするように制御することを特徴とする請求項１記載の浴室乾燥装置。
【請求項４】
前記湿度検出手段Ａにより検出した値により、前記熱供給手段により供給する熱量を制御するかどうかを使用者が選択可能であることを特徴とする請求項１〜３いずれかに記載の浴室乾燥装置。
【請求項５】
浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の温度を検出する温度検出手段Ａとを備え、前記温度検出手段Ａによって検出した値により前記循環手段によって吸込まれた浴室内空気に前記熱供給手段が供給する熱量を制御することを特徴とする浴室乾燥装置。
【請求項６】
前記温度検出手段Ａにより検出した値が所定値未満である場合は、前記熱供給手段により供給する熱量を大きくするように制御することを特徴とする請求項５記載の浴室乾燥装置。
【請求項７】
前記温度検出手段Ａにより検出した値が所定値以上である場合は、前記熱供給手段により供給する熱量を小さくするように制御することを特徴とする請求項５記載の浴室乾燥装置。
【請求項８】
前記温度検出手段Ａにより検出した値により、前記熱供給手段により供給する熱量を制御するかどうかを使用者が選択可能であることを特徴とする請求項５〜７いずれかに記載の浴室乾燥装置。
【請求項９】
浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ｂと、前記浴室以外の部屋から吸込んだ空気の温度を検出する温度検出手段Ｂとを備え、前記湿度検出手段Ｂおよび前記温度検出手段Ｂによって検出した値により前記循環手段によって吸込まれた浴室内空気に前記熱供給手段が供給する熱量を制御することを特徴とする浴室乾燥装置。
【請求項１０】
前記湿度検出手段Ｂおよび前記温度検出手段Ｂにより検出した値により、前記熱供給手段により供給する熱量を制御するかどうかを使用者が選択可能であることを特徴とする請求項９記載の浴室乾燥装置。
【請求項１１】
浴室以外の部屋が浴室の扉と隣り合っている部屋であることを特徴とする請求項１〜１０いずれかに記載の浴室乾燥装置。
【請求項１２】
浴室以外の部屋がトイレであることを特徴とする請求項１〜１０いずれかに記載の浴室乾燥装置。
【発明の詳細な説明】
【技術分野】
【０００１】
本発明は、浴室を乾燥させる浴室乾燥装置に関する。
【背景技術】
【０００２】
近年、浴室の天井に取り付けて、浴室内の暖房や換気を行うとともに、浴室内に吊した洗濯後の衣類を乾燥できる浴室乾燥装置が普及してきている。
【０００３】
従来、この種の浴室乾燥装置は、下記に記載されたものが知られている（例えば特許文献１）。
【０００４】
以下、その浴室乾燥装置について図１２を参照しながら説明する。浴室内の空気を屋外に排出する換気ファン１０１と、浴室内の空気を循環させる循環ファン１０２と、この循環空気を加熱するヒーター１０３ａ，１０３ｂ，１０３ｃとを駆動し、浴室内を乾燥させる浴室空調装置であって、付属リモコンにあるスイッチにより、ヒーター１０３ａ，１０３ｂ，１０３ｃの駆動本数を変更するものである。
【特許文献１】特開平０９−０６０９４１号公報
【発明の開示】
【発明が解決しようとする課題】
【０００５】
このような従来の浴室乾燥装置では、浴室内空気を浴室外へ換気する換気運転と浴室内空気を暖めながら循環させる暖房運転とを同時に行うことにより浴室を乾燥させている。この換気運転により浴室扉のガラリより浴室以外の部屋から空気が侵入してくるが、この乾燥に使用する空気の温湿度に依らず一律で乾燥運転を行っており、また、乾燥時間が長くても良い場合でも、一律に空気を加熱しての乾燥運転により、結果的に電力消費が大きくなるという課題があり、乾燥に使用する空気の温度または／および湿度等の空気質の状況に応じて乾燥運転を行うことでの省エネ乾燥の実現、また、使用者が必要な時により少ない電力消費で浴室を乾燥させることが要求されている。
【０００６】
本発明は、このような従来の課題を解決するものであり、乾燥に使用する空気の温度または／および湿度等の空気質の状況に応じて、また、使用者の要求に応じて、少ない電力消費で浴室を乾燥、すなわち、省エネ乾燥させることができる浴室乾燥装置を提供することを目的としている。
【課題を解決するための手段】
【０００７】
本発明の浴室乾燥装置は上記目的を達成するために、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ａとを備え、前記湿度検出手段Ａによって検出した値により前記循環手段によって吸込まれた浴室内空気に前記熱供給手段が供給する熱量を制御するものである。
【０００８】
この手段により、少ない電力消費で浴室を乾燥させることができる浴室乾燥装置が得られる。
【０００９】
また、本発明の浴室乾燥装置は上記目的を達成するために、前記湿度検出手段Ａにより検出した値が所定値未満である場合は、前記熱供給手段により供給する熱量を小さくするように制御するものである。
【００１０】
この手段により、少ない電力消費で浴室を乾燥させることができる浴室乾燥装置が得られる。
【００１１】
また、本発明の浴室乾燥装置は上記目的を達成するために、前記湿度検出手段Ａにより検出した値が所定値以上である場合は、前記熱供給手段により供給する熱量を大きくするように制御するものである。
【００１２】
この手段により、必要なときのみ電力消費が増えるものの、通常時は少ない電力消費で浴室を乾燥させることができる浴室乾燥装置が得られる。
【００１３】
また、本発明の浴室乾燥装置は上記目的を達成するために、前記湿度検出手段Ａにより検出した値により、前記熱供給手段により供給する熱量を制御するかどうかを使用者が選択可能であるものである。
【００１４】
この手段により、使用者が要求する場合に少ない電力消費で浴室を乾燥させることができる浴室乾燥装置が得られる。
【００１５】
また、本発明の浴室乾燥装置は上記目的を達成するために、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の温度を検出する温度検出手段Ａとを備え、前記温度検出手段Ａによって検出した値により前記循環手段によって吸込まれた浴室内空気に前記熱供給手段が供給する熱量を制御するものである。
【００１６】
この手段により、少ない電力消費で浴室を乾燥させることができる浴室乾燥装置が得られる。
【００１７】
また、本発明の浴室乾燥装置は上記目的を達成するために、前記温度検出手段Ａにより検出した値が所定値未満である場合は、前記熱供給手段により供給する熱量を大きくするように制御するものである。
【００１８】
この手段により、必要なときのみ電力消費が増えるものの、通常時は少ない電力消費で浴室を乾燥させることができる浴室乾燥装置が得られる。
【００１９】
また、本発明の浴室乾燥装置は上記目的を達成するために、前記温度検出手段Ａにより検出した値が所定値以上である場合は、前記熱供給手段により供給する熱量を小さくするように制御するものである。
【００２０】
この手段により、少ない電力消費で浴室を乾燥させることができる浴室乾燥装置が得られる。
【００２１】
また、本発明の浴室乾燥装置は上記目的を達成するために、前記温度検出手段Ａにより検出した値により、前記熱供給手段により供給する熱量を制御するかどうかを使用者が選択可能であるものである。
【００２２】
この手段により、使用者が要求する場合に少ない電力消費で浴室を乾燥させることができる浴室乾燥装置が得られる。
【００２３】
また、本発明の浴室乾燥装置は上記目的を達成するために、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ｂと、前記浴室以外の部屋から吸込んだ空気の温度を検出する温度検出手段Ｂとを備え、前記湿度検出手段Ｂおよび前記温度検出手段Ｂによって検出した値により前記循環手段によって吸込まれた浴室内空気に前記熱供給手段が供給する熱量を制御するものである。
【００２４】
この手段により、少ない電力消費で浴室を乾燥させることができる浴室乾燥装置が得られる。
【００２５】
また、本発明の浴室乾燥装置は上記目的を達成するために、前記湿度検出手段Ｂおよび前記温度検出手段Ｂにより検出した値により、前記熱供給手段により供給する熱量を制御するかどうかを使用者が選択可能であるものである。
【００２６】
この手段により、使用者が要求する場合に少ない電力消費で浴室を乾燥させることができる浴室乾燥装置が得られる。
【００２７】
また、本発明の浴室乾燥装置は上記目的を達成するために、前記浴室以外の部屋を浴室の扉と隣り合っている部屋としたものである。
【００２８】
この手段により、浴室扉のガラリより侵入する空気と同等の空気の温度または湿度の両方もしくは片方を検知することができるという効果のある浴室乾燥装置が得られる。
【００２９】
また、本発明の浴室乾燥装置は上記目的を達成するために、前記浴室以外の部屋をトイレとしたものである。
【００３０】
この手段により、浴室扉のガラリより侵入する空気と同等の空気の温度または湿度の両方もしくは片方を検知することができるという効果のある浴室乾燥装置が得られる。
【発明の効果】
【００３１】
本発明によれば、乾燥に使用する空気の温度または／および湿度等の空気質の状況に応じて浴室を乾燥でき、また、使用者の要求に応じて浴室を乾燥でき、少ない電力消費で浴室を乾燥、すなわち、省エネ乾燥させることができる浴室乾燥装置を提供できる。
【００３２】
また、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ａとを備え、前記湿度検出手段Ａによって検出した値により前記循環手段によって吸込まれた浴室内空気に前記熱供給手段が供給する熱量を制御することができ、少ない電力消費で浴室を乾燥させることができるという効果のある浴室乾燥装置を提供できる。
【００３３】
また、本発明によれば、前記湿度検出手段Ａにより検出した値が所定値未満である場合は、前記熱供給手段により供給する熱量を小さくするように制御することができ、必要なときのみ電力消費が増えるものの、通常時は少ない電力消費で浴室を乾燥させることができるという効果のある浴室乾燥装置を提供できる。
【００３４】
また本発明によれば、前記湿度検出手段Ａにより検出した値が所定値以上である場合は、前記熱供給手段により供給する熱量を大きくするように制御することができ、少ない電力消費で浴室を乾燥させることができるという効果のある浴室乾燥装置を提供できる。
【００３５】
また本発明によれば、前記湿度検出手段Ａにより検出した値により、前記熱供給手段により供給する熱量を制御するかどうかを使用者が選択することができ、使用者が要求する場合に少ない電力消費で浴室を乾燥させることができるという効果のある浴室乾燥装置を提供できる。
【００３６】
また本発明によれば、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の温度を検出する温度検出手段Ａとを備え、前記温度検出手段Ａによって検出した値により前記循環手段によって吸込まれた浴室内空気に前記熱供給手段が供給する熱量を制御することができ、少ない電力消費で浴室を乾燥させることができるという効果のある浴室乾燥装置を提供できる。
【００３７】
また本発明によれば、前記温度検出手段Ａにより検出した値が所定値未満である場合は、前記熱供給手段により供給する熱量を大きくするように制御することができ、必要なときのみ電力消費が増えるものの、通常時は少ない電力消費で浴室を乾燥させることができるという効果のある浴室乾燥装置を提供できる。
【００３８】
また本発明によれば、前記温度検出手段Ａにより検出した値が所定値以上である場合は、前記熱供給手段により供給する熱量を小さくするように制御することができ、少ない電力消費で浴室を乾燥させることができるという効果のある浴室乾燥装置を提供できる。
【００３９】
また本発明によれば、前記温度検出手段Ａにより検出した値により、前記温度検出手段Ａにより検出した値により、前記熱供給手段により供給する熱量を制御するかどうかを使用者が選択することができ、使用者が要求する場合に少ない電力消費で浴室を乾燥させることができるという効果のある浴室乾燥装置を提供できる。
【００４０】
また本発明によれば、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ｂと、前記浴室以外の部屋から吸込んだ空気の温度を検出する温度検出手段Ｂとを備え、前記湿度検出手段Ｂおよび前記温度検出手段Ｂによって検出した値により前記循環手段によって吸込まれた浴室内空気に前記熱供給手段が供給する熱量を制御することができ、少ない電力消費で浴室を乾燥させることができるという効果のある浴室乾燥装置を提供できる。
【００４１】
また本発明によれば、前記湿度検出手段Ｂおよび前記温度検出手段Ｂにより検出した値により、前記熱供給手段により供給する熱量を制御するかどうかを使用者が選択することができ、使用者が要求する場合に少ない電力消費で浴室を乾燥させることができる。という効果のある浴室乾燥装置を提供できる。
【００４２】
また本発明によれば、前記浴室以外の部屋が浴室の扉と隣り合っている部屋であり、浴室扉のガラリより侵入する空気と同等の空気の温度または湿度の両方もしくは片方を検知することができるという効果のある浴室乾燥装置を提供できる。
【００４３】
また本発明によれば、前記浴室以外の部屋がトイレであり、浴室扉のガラリより侵入する空気と同等の空気の温度または湿度の両方もしくは片方を検知することができるという効果のある浴室乾燥装置を提供できる。
【発明を実施するための最良の形態】
【００４４】
本発明の請求項１記載の発明は、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ａとを備え、前記湿度検出手段Ａによって検出した値により前記循環手段によって吸込まれた浴室内空気に前記熱供給手段が供給する熱量を制御することで、浴室内の乾燥に使用する浴室以外の部屋から吸込んだ空気の湿度に応じての加熱により浴室内の乾燥に使用する空気の湿度を低く乾燥でき、少ない電力消費で浴室を効率的に乾燥させることができるという作用を有する。
【００４５】
また、前記湿度検出手段Ａにより検出した値が所定値未満である場合は、前記熱供給手段により供給する熱量を小さくするように制御することができ、必要なときのみ電力消費が増えるものの、通常時は少ない電力消費で浴室を乾燥させることができるという作用を有する。
【００４６】
また、前記湿度検出手段Ａにより検出した値が所定値以上である場合は、前記熱供給手段により供給する熱量を大きくするように制御することができ、少ない電力消費で浴室を乾燥させることができるという作用を有する。
【００４７】
また、前記湿度検出手段Ａにより検出した値により、前記湿度検出手段Ａにより検出した値により、前記熱供給手段により供給する熱量を制御するかどうかを使用者が選択することができ、使用者が要求する場合に少ない電力消費で浴室を乾燥させることができるという作用を有する。
【００４８】
また、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の温度を検出する温度検出手段Ａとを備え、前記温度検出手段Ａによって検出した値により前記循環手段によって吸込まれた浴室内空気に前記熱供給手段が供給する熱量を制御することで、浴室内の乾燥に使用する浴室以外の部屋から吸込んだ空気の温度に応じての加熱により浴室内の乾燥に使用する空気の温度を高く乾燥でき、少ない電力消費で浴室を効率的に乾燥させることができるという作用を有する。
【００４９】
また、前記温度検出手段Ａにより検出した値が所定値未満である場合は、前記熱供給手段により供給する熱量を大きくするように制御することができ、必要なときのみ電力消費が増えるものの、通常時は少ない電力消費で浴室を乾燥させることができるという作用を有する。
【００５０】
また、前記温度検出手段Ａにより検出した値が所定値以上である場合は、前記熱供給手段により供給する熱量を小さくするように制御することができ、少ない電力消費で浴室を乾燥させることができるという作用を有する。
【００５１】
また、前記温度検出手段Ａにより検出した値により、前記温度検出手段Ａにより検出した値により、前記熱供給手段により供給する熱量を制御するかどうかを使用者が選択することができ、使用者が要求する場合に少ない電力消費で浴室を乾燥させることができるという作用を有する。
【００５２】
また、浴室内の空気を循環させる循環手段と、前記循環手段によって吸込まれた浴室内空気に熱を供給する熱供給手段と、浴室およびダクトを介して浴室以外の部屋の空気を吸込み換気する換気手段と、前記換気手段により前記浴室以外の部屋から吸込んだ空気の湿度を検出する湿度検出手段Ｂと、前記浴室以外の部屋から吸込んだ空気の温度を検出する温度検出手段Ｂとを備え、前記湿度検出手段Ｂおよび前記温度検出手段Ｂによって検出した値により前記循環手段によって吸込まれた浴室内空気に前記熱供給手段が供給する熱量を制御することができ、浴室内の乾燥に使用する浴室以外の部屋から吸込んだ空気の温度と湿度に応じての加熱により浴室内の乾燥に使用する空気の温度を高く湿度を低く乾燥でき、少ない電力消費で浴室を効率的に乾燥させることができるという作用を有する。
【００５３】
また、前記湿度検出手段Ｂおよび前記温度検出手段Ｂにより検出した値により浴室乾燥装置の運転を制御するか、前記制御をしないかを使用者が選択することができ、使用者が要求する場合に少ない電力消費で浴室を乾燥させることができるという作用を有する。
【００５４】
また、前記浴室以外の部屋が浴室の扉と隣り合っている部屋であり、浴室扉のガラリより侵入する空気と同等の空気の温度または湿度の両方もしくは片方を検知することができるという作用を有する。
【００５５】
また、前記浴室以外の部屋がトイレであり、浴室扉のガラリより侵入する空気と同等の空気の温度または湿度の両方もしくは片方を検知することができるという作用を有する。
【００５６】
以下、本発明の実施の形態について図面を参照しながら説明する。
【００５７】
（実施の形態１）
図１に示すように、浴室乾燥装置１ａは浴室内の空気を循環させる循環手段としての循環ファン２と、前記循環手段によって吸込んだ浴室内空気に熱を供給する熱供給手段としてのＰＴＣヒーター３ａ（７００Ｗ）、ＰＴＣヒーター３ｂ（７００Ｗ）と、浴室内の空気およびダクト４を介して浴室以外の部屋、例えば浴室扉に隣接する脱衣室内の空気を吸込み換気する換気手段としての換気ファン５と、前記換気手段により吸込んだ脱衣室内空気の湿度を検出する湿度検出手段としての湿度センサー６とを備えたものである。
【００５８】
なお、湿度検出手段は換気手段のダクト４との接合部付近の風路内に配する。次に供給熱量の違いを説明する。供給熱量大の時とは、例えば、ＰＴＣヒーター３ａおよびＰＴＣヒーター３ｂに通電し、供給熱量小の時とはＰＴＣヒーターの片側、例えばＰＴＣヒーター３ａに通電するものである。
【００５９】
次に湿度センサー６の検出値と浴室乾燥装置１ａの運転状態の流れを、図２を参照にしながら説明する。図２に示すように浴室乾燥装置１ａが乾燥運転を開始すると換気手段としての換気ファン５の運転を開始し、脱衣室内空気を吸込み、その後湿度センサー６により浴室内空気の湿度を検出する。このとき検出した湿度が規定値、例えば６０％未満である場合、循環手段を運転開始した後、供給熱量小で運転する。
【００６０】
なお、乾燥運転とは循環手段により吸込んだ空気を熱供給手段により熱供給し、浴室内に循環させると同時に、換気手段により吸込んだ浴室内空気を浴室外へ換気する運転のことを指す。
【００６１】
上記構成において、浴室乾燥装置１ａは浴室以外の部屋の空気を吸込み、その湿度が規定値未満、例えば湿度６０％ＲＨ未満であれば、乾燥に使用する空気の相対湿度が低く、熱供給量の小さい乾燥運転でも充分な乾燥が可能となり、少ない電力消費で浴室乾燥を行うことが可能となる。
【００６２】
なお、実施の形態１では熱供給手段をＰＴＣヒーターとしたが、ハロゲンヒーターやその他のヒーターであってもよく、その作用効果に差異を生じない。
【００６３】
また、熱供給手段をＰＴＣヒーターとしたが、温水等の熱交換式のヒーターであってもよく、その作用効果に差異を生じない。
【００６４】
また、循環手段および換気手段を別々のファンとしたが、ダンパー等の風向板を備えることにより、一つのファンで循環手段と換気手段を担ってもよく、その作用効果に差異を生じない。
【００６５】
また、浴室以外の部屋を浴室扉と隣接する脱衣室としたが、脱衣室に替えてトイレであってもよく、その作用効果に差異を生じない。
【００６６】
（実施の形態２）
本実施の形態は実施の形態１の浴室乾燥装置１ａと同じ構成である。実施の形態１と同一部分は同一符号を附し詳細な説明は省略する。
【００６７】
次に湿度センサー６の検出値と浴室乾燥装置１ａの運転状態の流れを、図３を参照にしながら説明する。図３に示すように浴室乾燥装置１ａが乾燥運転を開始すると換気手段としての換気ファン５の運転を開始し、脱衣室内空気を吸込み、その後湿度センサー６により浴室内空気の湿度を検出する。このとき検出した湿度が規定値例えば６０％以上である場合、循環手段を運転開始した後、供給熱量大で運転する。
【００６８】
上記構成において、浴室乾燥装置１ａは浴室以外の部屋の空気を吸込み、その湿度が規定値、例えば湿度６０％ＲＨを超えていれば、乾燥に使用する空気の相対湿度を低めるため、供給熱量大で運転するが、通常時は熱供給量の小さい省エネ乾燥運転を行うこととなり、必要なときのみ電力消費が増えるものの、通常時は少ない電力消費で浴室乾燥を行うことが可能となる。
【００６９】
（実施の形態３）
本実施の形態は実施の形態１の浴室乾燥装置１ａに加えて、省エネ乾燥運転と、通常乾燥運転とを選択可能とするスイッチとしてのリモコン７を備えたものである。実施の形態１、２と同一部分は同一符号を附し詳細な説明は省略する。
【００７０】
なお、省エネ乾燥運転とは、実施の形態１のように熱供給量を制御する運転を指し、通常乾燥運転とは前記制御を行わない乾燥運転を指す。
【００７１】
次に各乾燥運転の流れを図４を参照にしながら説明する。図４に示すように浴室乾燥装置１ａが省エネ乾燥運転を開始すると換気手段としての換気ファン５の運転を開始し、脱衣室内空気を吸込み、その後湿度センサー６により浴室内空気の湿度を検出する。このとき検出した湿度が規定値例えば６０％未満である場合、循環手段を運転開始した後、供給熱量小で運転する。また、通常乾燥運転を開始すると、換気手段を運転した後、循環手段を運転し、その後熱供給量大で運転する。
【００７２】
上記構成において、使用者は省エネ乾燥運転と通常乾燥運転とを選択可能となり、使用者が要求する場合に小さな消費電力で浴室乾燥を行うことが可能となる。
【００７３】
（実施の形態４）
実施の形態１乃至３と同一部分は同一符号を附し詳細な説明は省略する。図５に示すように、浴室乾燥装置１ｂは浴室内の空気を循環させる循環手段としての循環ファン２と、前記循環手段によって吸込んだ浴室内空気に熱を供給する熱供給手段としてのＰＴＣヒーター３ａ、３ｂと、浴室内の空気およびダクト４を介して浴室以外の部屋、例えば浴室扉に隣接する脱衣室内の空気を吸込み換気する換気手段としての換気ファン５と、前記換気手段により吸込んだ脱衣室内空気の温度を検出する温度度検出手段としての温度センサー８とを備えたものである。
【００７４】
なお、温度検出手段は換気手段のダクト４との接合部付近の風路内に配する。
【００７５】
次に温度センサー８の検出値と浴室乾燥装置１ｂの運転状態の流れを、図６を参照にしながら説明する。図６に示すように浴室乾燥装置１ｂが乾燥運転を開始すると換気手段としての換気ファン５の運転を開始し、脱衣室内空気を吸込み、その後温度センサー８により浴室内空気の温度を検出する。このとき検出した温度が規定値例えば２０℃未満である場合、循環手段を運転開始した後、供給熱量大で運転する。
【００７６】
上記構成において、浴室乾燥装置１ｂは浴室以外の部屋の空気を吸込み、その湿度が規定値未満であれば、熱供給量の小さい乾燥運転を行うこととなり、少ない電力消費で浴室乾燥を行うことが可能となる。
【００７７】
なお、実施の形態４では熱供給手段をＰＴＣヒーターとしたが、ハロゲンヒーターやその他のヒーターであってもよく、その作用効果に差異を生じない。
【００７８】
また、熱供給手段をＰＴＣヒーターとしたが、温水等の熱交換式のヒーターであってもよく、その作用効果に差異を生じない。
【００７９】
また、循環手段および換気手段を別々のファンとしたが、ダンパー等の風向板を備えることにより、一つのファンで循環手段と換気手段を担ってもよく、その作用効果に差異を生じない。
【００８０】
また、浴室以外の部屋を浴室扉と隣接する脱衣室としたが、脱衣室に替えてトイレであってもよく、その作用効果に差異を生じない。
【００８１】
（実施の形態５）
本実施の形態は実施の形態４の浴室乾燥装置１ｂと同じ構成である。実施の形態１乃至４と同一部分は同一符号を附し詳細な説明は省略する。
【００８２】
次に温度センサー８の検出値と浴室乾燥装置１ｂの運転状態の流れを、図７を参照にしながら説明する。図７に示すように浴室乾燥装置１ｂが乾燥運転を開始すると換気手段としての換気ファン５の運転を開始し、脱衣室内空気を吸込み、その後温度センサー８により浴室内空気の温度を検出する。このとき検出した温度が規定値例えば２０℃以上である場合、循環手段を運転開始した後、供給熱量小で運転する。
【００８３】
上記構成において、浴室乾燥装置１ｂは浴室以外の部屋の空気を吸込み、その温度が規定値を超えていれば、熱供給量の小さい省エネ乾燥運転を行うこととなり、少ない電力消費で浴室乾燥を行うことが可能となる。
【００８４】
（実施の形態６）
本実施の形態は実施の形態４の浴室乾燥装置１ｂに加えて、省エネ乾燥運転と、通常乾燥運転とを選択可能とするスイッチとしてのリモコン７を備えたものである。実施の形態１乃至５と同一部分は同一符号を附し詳細な説明は省略する。
【００８５】
なお、省エネ乾燥運転とは、実施の形態５のように熱供給量を制御する運転を指し、通常乾燥運転とは前記制御を行わない乾燥運転を指す。
【００８６】
次に各乾燥運転の流れを図８を参照にしながら説明する。図８に示すように浴室乾燥装置１ｂが省エネ乾燥運転を開始すると換気手段としての換気ファン５の運転を開始し、脱衣室内空気を吸込み、その後温度センサー８により浴室内空気の温度を検出する。このとき検出した温度が規定値例えば２０℃以上である場合、循環手段を運転開始した後、供給熱量小で運転する。また、通常乾燥運転を開始すると、換気手段を運転した後、循環手段を運転し、その後熱供給量大で運転する。
【００８７】
上記構成において、使用者は省エネ乾燥運転と通常乾燥運転とを選択可能となり、使用者が要求する場合に小さな消費電力で浴室乾燥を行うことが可能となる。
【００８８】
（実施の形態７）
実施の形態１乃至６と同一部分は同一符号を附し詳細な説明は省略する。図９に示すように、浴室乾燥装置１ｃは浴室内の空気を循環させる循環手段としての循環ファン２と、前記循環手段によって吸込んだ浴室内空気に熱を供給する熱供給手段としてのＰＴＣヒーター３ａ、３ｂと、浴室内の空気およびダクト４を介して浴室以外の部屋、例えば浴室扉に隣接する脱衣室内の空気を吸込み換気する換気手段としての換気ファン５と、前記換気手段により吸込んだ脱衣室内空気の湿度を検出する湿度検出手段としての湿度センサー６と、前記脱衣室内空気の温度を検出する温度検出手段としての温度センサー８とを備えたものである。
【００８９】
なお、湿度検出手段および温度検出手段は換気手段のダクト４との接合部付近の風路内に配する。
【００９０】
次に供給熱量の違いを説明する。供給熱量大の時はＰＴＣヒーター３ａおよびＰＴＣヒーター３ｂに通電し、供給熱量小の時はＰＴＣヒーターの片側例えばＰＴＣヒーター３ａに通電する。
【００９１】
次に湿度センサー６および温度センサー８の検出値と浴室乾燥装置１ｃの運転状態の流れを、図１０を参照にしながら説明する。図１０に示すように浴室乾燥装置１ｃが乾燥運転を開始すると換気手段としての換気ファン５の運転を開始し、脱衣室内空気を吸込み、その後温度センサー８により浴室内空気の温度を検出する。その後湿度センサー６により浴室内空気の湿度を検出する。このとき検出した温度が規定値例えば２０℃以上で、かつ検出した湿度が規定値例えば６０％未満ある場合、循環手段を運転開始した後、供給熱量小で運転する。
【００９２】
上記構成において、浴室乾燥装置１ｃは浴室以外の部屋の空気を吸込み、その温度および湿度により、熱供給量の小さい乾燥運転を行うこととなり、少ない電力消費で浴室乾燥を行うことが可能となる。
【００９３】
なお、実施の形態１では熱供給手段をＰＴＣヒーターとしたが、ハロゲンヒーターやその他のヒーターであってもよく、その作用効果に差異を生じない。
【００９４】
また、熱供給手段をＰＴＣヒーターとしたが、温水等の熱交換式のヒーターであってもよく、その作用効果に差異を生じない。
【００９５】
また、循環手段および換気手段を別々のファンとしたが、ダンパー等の風向板を備えることにより、一つのファンで循環手段と換気手段を担ってもよく、その作用効果に差異を生じない。
【００９６】
また、浴室以外の部屋を浴室扉と隣接する脱衣室としたが、脱衣室に替えてトイレであってもよく、その作用効果に差異を生じない。
【００９７】
（実施の形態８）
本実施の形態は実施の形態７の浴室乾燥装置１ｃに加えて、省エネ乾燥運転と、通常乾燥運転とを選択可能とするスイッチとしてのリモコン７を備えたものである。実施の形態１乃至７と同一部分は同一符号を附し詳細な説明は省略する。
【００９８】
なお、省エネ乾燥運転とは、実施の形態７のように熱供給量を制御する運転を指し、通常乾燥運転とは前記制御を行わない乾燥運転を指す。
【００９９】
次に各乾燥運転の流れを図１１を参照にしながら説明する。図１１に示すように浴室乾燥装置１ｃが省エネ乾燥運転を開始すると換気手段としての換気ファン５の運転を開始し、脱衣室内空気を吸込み、その後温度センサー８により浴室内空気の温度を検出する。その後湿度センサー６により浴室内空気の湿度を検出する。このとき検出した温度が規定値例えば２０℃以上で、かつ検出した湿度が規定値例えば６０％未満ある場合、循環手段を運転開始した後、供給熱量小で運転する。また、通常乾燥運転を開始すると、換気手段を運転した後、循環手段を運転し、その後熱供給量大で運転する。
【０１００】
上記構成において、使用者は省エネ乾燥運転と通常乾燥運転とを選択可能となり、使用者が要求する場合に小さな消費電力で浴室乾燥を行うことが可能となる。
【産業上の利用可能性】
【０１０１】
以上のように本発明の浴室乾燥装置は、少ない電力消費で浴室を乾燥することができるもので、住居用の浴室で利用可能である。
【図面の簡単な説明】
【０１０２】
【図１】本発明の実施の形態１の浴室乾燥装置の構成図
【図２】本発明の実施の形態１の浴室乾燥装置の運転のフローチャート
【図３】本発明の実施の形態２の浴室乾燥装置の運転のフローチャート
【図４】本発明の実施の形態３の浴室乾燥装置の運転のフローチャート
【図５】本発明の実施の形態４の浴室乾燥装置の構成図
【図６】本発明の実施の形態４の浴室乾燥装置の運転のフローチャート
【図７】本発明の実施の形態５の浴室乾燥装置の運転のフローチャート
【図８】本発明の実施の形態６の浴室乾燥装置の運転のフローチャート
【図９】本発明の実施の形態７の浴室乾燥装置の構成図
【図１０】本発明の実施の形態７の浴室乾燥装置の運転のフローチャート
【図１１】本発明の実施の形態８の浴室乾燥装置の運転のフローチャート
【図１２】従来の浴室乾燥装置の構成図
【符号の説明】
【０１０３】
１ａ      浴室乾燥装置
１ｂ      浴室乾燥装置
１ｃ      浴室乾燥装置
２        循環ファン
３ａ      ＰＴＣヒーター
３ｂ      ＰＴＣヒーター
４        ダクト
５        換気ファン
６        湿度センサー
７        リモコン
８        温度センサー
１０１    換気ファン
１０２    循環ファン
１０３ａ  ヒーター
１０３ｂ  ヒーター
１０３ｃ  ヒーター
１０４    リモコン
【図１】
2009041833.tif 000003
【図２】
2009041833.tif 000004
【図３】
2009041833.tif 000005
【図４】
2009041833.tif 000006
【図５】
2009041833.tif 000007
【図６】
2009041833.tif 000008
【図７】
2009041833.tif 000009
【図８】
2009041833.tif 000010
【図９】
2009041833.tif 000011
【図１０】
2009041833.tif 000012
【図１１】
2009041833.tif 000013
【図１２】
2009041833.tif 000014